(57)【要約】【課題】画像についての嗜好に適合する補正情報をユーザーに準備させることなく、画像についての嗜好に適合する補正を画像データに行う。【解決手段】画像補正装置は、画像データ取得部、ユーザー情報取得部、補正情報保存部、補正情報選択部及び画像データ補正部を備える。画像データ取得部は、画像データを取得する。ユーザー情報取得部は、ユーザーの画像についての嗜好に影響する嗜好情報を取得する。補正情報保存部には、複数の嗜好情報にそれぞれ対応し画像データの補正の内容を示す複数の補正情報が保存される。補正情報選択部は、取得された嗜好情報に対応する補正情報を複数の補正情報から選択する。画像データ補正部は、選択された補正情報にしたがって画像データを補正して補正画像データを生成する。【選択図】図２
2020170290.tif 000002
【特許請求の範囲】
【請求項１】
画像データを取得する画像データ取得部と、
ユーザーの画像についての嗜好に影響する嗜好情報を取得するユーザー情報取得部と、
複数の嗜好情報にそれぞれ対応し前記画像データの補正の内容を示す複数の補正情報が保存される補正情報保存部と、
前記嗜好情報に対応する補正情報を前記複数の補正情報から選択する補正情報選択部と、
前記補正情報にしたがって前記画像データを補正して補正画像データを生成する画像データ補正部と、
を備える画像補正装置。
【請求項２】
前記ユーザー情報取得部は、ふたつ以上の嗜好情報を取得し、
前記ふたつ以上の嗜好情報を解析し、前記ふたつ以上の嗜好情報から前記嗜好情報を選択する嗜好情報解析部をさらに備える
請求項１の画像補正装置。
【請求項３】
前記ふたつ以上の嗜好情報の各々は、項目及び内容を含み、
前記嗜好情報解析部は、項目が記載された嗜好情報リストを参照し、
前記嗜好情報は、前記嗜好情報リストに記載された項目に一致する項目を含む
請求項２の画像補正装置。
【請求項４】
前記ユーザー情報取得部は、前記ユーザーを識別する識別情報を取得し、
前記補正情報保存部には、複数の識別情報の各々について複数の補正情報が保存され、
前記補正情報選択部は、前記識別情報について保存された複数の補正情報から前記補正情報を選択する
請求項１から３までのいずれかの画像補正装置。
【請求項５】
前記複数の補正情報の各々は、色相補正の内容、コントラスト補正の内容、シャープネス補正の内容、彩度補正の内容及び明暗度補正の内容からなる群より選択される少なくともひとつの補正の内容を示す
請求項１から４までのいずれかの画像補正装置。
【請求項６】
前記画像データ補正部は、前記補正画像データに対する画質調整を行う画質調整部を備え、
前記補正情報選択部は、前記画質調整に基づいて前記複数の補正情報を修正する
請求項１から５までのいずれかの画像補正装置。
【請求項７】
前記画像データ取得部は、複数の画像データを取得し、
前記画像データ補正部は、前記複数の画像データからの前記画像データの選択を行う選択部を備え、
前記補正情報選択部は、前記選択に基づいて前記複数の補正情報を修正する
請求項１から６までのいずれかの画像補正装置。
【請求項８】
請求項１から７までのいずれかの画像補正装置と、
前記画像補正装置と通信するサーバーと、
を備え、
前記補正情報保存部は、第１の補正情報保存部であり、
前記複数の補正情報は、第１の複数の補正情報であり、
前記サーバーは、第２の複数の補正情報が保存される第２の補正情報保存部を備え、
前記第１の補正情報保存部は、前記第１の複数の補正情報に含まれる補正情報を前記第２の補正情報保存部に保存し、
前記第２の補正情報保存部は、前記第２の複数の補正情報に含まれる補正情報を前記第１の補正情報保存部に保存する
画像補正システム。
【請求項９】
請求項１から７までのいずれかの画像補正装置と、
前記補正画像データにより表現される画像を印刷する印刷部と、
を備えるプリントシステム。
【請求項１０】
a)画像データを取得する工程と、
b)ユーザーの画像についての嗜好に影響する嗜好情報を取得する工程と、
c)複数の嗜好情報にそれぞれ対応する複数の補正情報から、前記嗜好情報に対応する補正情報を選択する工程と、
d)前記補正情報にしたがって前記画像データを補正する工程と、
を備える画像補正方法。
【発明の詳細な説明】
【技術分野】
【０００１】
本発明は、画像補正装置、画像補正システム、プリントシステム及び画像補正方法に関する。
【背景技術】
【０００２】
スマートフォン等のカメラ機能付きの携帯電話が普及するのに伴い、写真の撮影数が増加している。
【０００３】
一方、スマートフォン、デジタルカメラ等により撮影された写真が印刷される際には、多くの場合は、ユーザー又は写真店のオペレーターにより、印刷される写真の画像を表現する画像データに対して、色合い、濃度、コントラスト、シャープネス、彩度、明度等の補正が行われる。
【０００４】
画像データに対して補正が行われる際には、ユーザーの画像についての嗜好に適合する補正が行われることが期待される。
【０００５】
特許文献１に記載された技術においては、顧客ＩＤに関連付けられた顧客固有の補正情報がデータベースに登録される（要約）。また、入力された顧客ＩＤに基づいて、データベースから補正情報が抽出される（要約）。また、抽出された補正情報に基づいて、画像データの補正処理が行われる（要約）。これにより、顧客の要望する写真プリントが得られる（要約）。
【先行技術文献】
【特許文献】
【０００６】
【特許文献１】特開２００３−２１６３５６号公報
【発明の概要】
【発明が解決しようとする課題】
【０００７】
特許文献１に記載された技術に代表される技術においては、ユーザーの画像についての嗜好に適合する補正を行うためには、画像についての嗜好に適合する補正情報をユーザーに準備させなければならない。しかし、多くのユーザーは、画像データの補正に習熟しておらず、画像についての嗜好に適合する補正情報を準備することができない。
【０００８】
本発明は、この問題に鑑みてなされた。本発明が解決しようとする課題は、画像についての嗜好に適合する補正情報をユーザーに準備させることなく、画像についての嗜好に適合する補正を画像データに行うことである。
【課題を解決するための手段】
【０００９】
本発明は、画像補正装置に向けられる。
【００１０】
画像補正装置は、画像データ取得部、ユーザー情報取得部、補正情報保存部、補正情報選択部及び画像データ補正部を備える。
【００１１】
画像データ取得部は、画像データを取得する。ユーザー情報取得部は、ユーザーの画像についての嗜好に影響する嗜好情報を取得する。補正情報保存部には、複数の嗜好情報にそれぞれ対応し画像データの補正の内容を示す複数の補正情報が保存される。補正情報選択部は、取得された嗜好情報に対応する補正情報を複数の補正情報から選択する。画像データ補正部は、選択された補正情報にしたがって画像データを補正して補正画像データを生成する。
【００１２】
本発明は、画像補正システム、プリントシステム及び画像補正方法にも向けられる。
【発明の効果】
【００１３】
本発明によれば、画像補正についての嗜好に影響する嗜好情報が取得され、取得された嗜好情報に対応する補正情報にしたがって画像データが補正される。このため、画像についての嗜好に適合する補正情報をユーザーに準備させることなく、画像についての嗜好に適合する補正を画像データに行うことができる。
【００１４】
この発明の目的、特徴、局面、及び利点は、以下の詳細な説明と添付図面とによって、より明白となる。
【図面の簡単な説明】
【００１５】
【図１】実施の形態１のプリントシステムを図示するブロック図である。
【図２】実施の形態１のプリントシステムに備えられる、スマートフォンに保存された写真をプリントするための構成を図示するブロック図である。
【図３】実施の形態１のプリントシステムに備えられる補正情報保存部に保存される情報を説明する図である。
【図４】実施の形態１のプリントシステムに備えられる補正情報保存部に保存される補正情報の内容を示す図である。
【図５】実施の形態１のプリントシステムに備えられる画像データ補正部を図示するブロック図である。
【図６】実施の形態１のプリントシステムに備えられる補正情報保存部に保存される赤み（Ｒ）調整テーブルの例、及び当該プリントシステムに備えられる補正情報選択部により当該Ｒ調整テーブルから選択される色調整テーブルの例を図示する図である。
【図７】実施の形態１のプリントシステムに備えられる補正情報保存部に保存される緑み（Ｇ）調整テーブルの例、及び当該プリントシステムに備えられる補正情報選択部により当該Ｇ調整テーブルから選択される色調整テーブルの例を図示する図である。
【図８】実施の形態１のプリントシステムに備えられる補正情報保存部に保存される青み（Ｂ）調整テーブルの例、及び当該プリントシステムに備えられる補正情報選択部により当該Ｂ調整テーブルから選択される色調整テーブルの例を図示する図である。
【図９】実施の形態１のプリントシステムに備えられる補正情報保存部に保存されるコントラスト補正テーブルの例、及び当該コントラスト補正テーブルから選択されるコントラスト補正パラメータの例を図示する図である。
【図１０】実施の形態１のプリントシステムに備えられるユーザー情報取得部により取得される嗜好情報の例を図示する図である。
【図１１】実施の形態１のプリントシステムに備えられる補正情報保存部に保存される嗜好情報リストの例、及び当該プリントシステムに備えられる補正情報選択部により作成される画像補正テーブルの例を図示する図である。
【図１２】実施の形態１のプリントシステムに備えられる画像データ補正部により画像データに適用される画像補正パラメータの例を示す図である。
【図１３】実施の形態１のプリントシステムに備えられる表示部に表示される補正情報選択画面の例を示す図である。
【図１４】実施の形態１のプリントシステムに備えられる印刷装置により行われる画像データの補正及び画像データの出力の流れを示すフローチャートである。
【図１５】実施の形態１のプリントシステムに備えられる嗜好情報解析部により行われる嗜好情報の解析の流れを示すフローチャートである。
【発明を実施するための形態】
【００１６】
１  実施の形態１
１．１  プリントシステム
図１は、実施の形態１のプリントシステムを図示するブロック図である。
【００１７】
実施の形態１のプリントシステム１は、図１に図示されるように、印刷装置１０、携帯型情報通信処理装置２０、情報処理装置３０、サーバー４０及び通信網５０を備える。
【００１８】
印刷装置１０、携帯型情報通信処理装置２０、情報処理装置３０及びサーバー４０は、通信網５０に接続される。このため、印刷装置１０、携帯型情報通信処理装置２０、情報処理装置３０及びサーバー４０に含まれる要素は、通信網５０を介して、印刷装置１０、携帯型情報通信処理装置２０、情報処理装置３０及びサーバー４０に含まれる、当該要素以外の要素と通信する。
【００１９】
携帯型情報通信処理装置２０は、カメラ機能付きスマートフォン、タブレット等である。以下では、携帯型情報通信処理装置２０がスマートフォンと呼ばれる。
【００２０】
情報処理装置３０は、パーソナルコンピューター（ＰＣ）等である。以下では、情報処理装置３０がＰＣと呼ばれる。
【００２１】
通信網５０は、インターネット、移動体通信会社が運営する無線通信システム等である。
【００２２】
図１には、印刷装置１０、スマートフォン２０及びＰＣ３０からサーバー４０が分離して描かれている。しかし、サーバー４０がＰＣ３０に内蔵されてもよい。また、図１には、１台の印刷装置１０のみが描かれている。しかし、プリントシステム１が２台以上の印刷装置１０を備えてもよい。
【００２３】
１．２  印刷装置
印刷装置１０は、図１に図示されるように、表示部１０ａ、操作部１０ｂ、通信部１０ｃ、メモリー１０ｄ、中央演算処理装置（ＣＰＵ）１０ｅ、画像入力部１０ｆ、印刷部１０ｇ及び接続インターフェース（Ｉ／Ｆ）１０ｈを備える。
【００２４】
表示部１０ａは、液晶ディスプレイ、有機エレクトロルミネッセンス（ＥＬ）ディスプレイ等である。表示部１０ａは、情報を表示する。表示される情報は、操作の指示を含む。
【００２５】
操作部１０ｂは、タッチパネル、ボタン、ダイヤル、スイッチ等である。操作部１０ｂは、操作の指示に従って行われる操作等を検出する。操作は、選択操作、入力操作等を含む。
【００２６】
通信部１０ｃは、通信網５０に接続され、通信網５０を介してスマートフォン２０、ＰＣ３０及びサーバー４０と通信する。
【００２７】
メモリー１０ｄは、ハードディスクユニット、不揮発性メモリー及び一時記憶メモリーを備える。不揮発性メモリーは、フラッシュメモリー等である。不揮発性メモリーには、プログラム、諸設定データ等が保存される。一時記憶メモリーは、ランダムアクセスメモリー（ＲＡＭ）等である。一時記憶メモリーには、処理データ等が一時保存される。
【００２８】
ＣＰＵ１０ｅは、メモリー１０ｄに保存されたプログラムにしたがって印刷装置１０の全体を制御する。
【００２９】
画像入力部１０ｆには、画像データが入力される。画像入力部１０ｆは、メモリーカード等の記憶媒体から画像データを読み込む。
【００３０】
印刷部１０ｇは、昇華型プリンター、インクジェットプリンター、レーザープリンター等である。印刷部１０ｇは、画像データにより表現される画像を印刷する。
【００３１】
接続Ｉ／Ｆ１０ｈには、ユニバーサルシリアルバス（ＵＳＢ）メモリー等の他のデバイスが直接的に接続される。
【００３２】
１．３  スマートフォン
スマートフォン２０は、図１に図示されるように、表示部２０ａ、操作部２０ｂ、撮影部２０ｃ、音声入力部２０ｄ、音声出力部２０ｅ、通信部２０ｆ、メモリー２０ｇ、ＣＰＵ２０ｈ、グローバルポジショニングシステム（ＧＰＳ）受信機２０ｉ及び接続Ｉ／Ｆ２０ｊを備える。
【００３３】
表示部２０ａは、液晶ディスプレイ、有機ＥＬディスプレイ等である。表示部２０ａは、情報を表示する。表示される情報は、操作の指示を含む。
【００３４】
操作部２０ｂは、タッチパネル、ボタン、ダイヤル、スイッチ等である。操作部２０ｂは、操作の指示にしたがって行われる操作等を検出する。操作は、選択操作、入力操作等を含む。
【００３５】
撮影部２０ｃは、カメラを備える。カメラは、写真を撮影する。
【００３６】
音声入力部２０ｄは、マイク等である。音声入力部２０ｄには、音声が入力される。入力される音声は、通話のための音声等である。
【００３７】
音声出力部２０ｅは、スピーカー等である。音声出力部２０ｅは、音声を出力する。出力される音声は、通話のための音声等である。
【００３８】
通信部２０ｆは、通信網５０に接続され、通信網５０を介して印刷装置１０、ＰＣ３０及びサーバー４０と通信する。
【００３９】
メモリー２０ｇは、不揮発性メモリー及び一時記憶メモリーを備える。不揮発性メモリーは、フラッシュメモリー等である。不揮発性メモリーには、プログラム、諸設定データ等が保存される。一時記憶メモリーは、ＲＡＭ等である。一時記憶メモリーには、処理データ等が一時保存される。
【００４０】
ＣＰＵ２０ｈは、メモリー２０ｇに保存されたプログラムにしたがってスマートフォン２０の全体を制御する。
【００４１】
ＧＰＳ受信機２０ｉは、現在の位置を計測する。
【００４２】
接続Ｉ／Ｆ２０ｊは、ＰＣとの接続のためのＵＳＢ端子等である。接続Ｉ／Ｆ２０ｊには、他のデバイスが接続される。接続Ｉ／Ｆ２０ｊは、接続された他のデバイスにデータを送信し、接続された他のデバイスからデータを受信する。
【００４３】
１．４  ＰＣ
ＰＣ３０は、図１に図示されるように、表示部３０ａ、操作部３０ｂ、通信部３０ｃ、メモリー３０ｄ、ＣＰＵ３０ｅ及び接続Ｉ／Ｆ３０ｆを備える。
【００４４】
表示部３０ａは、液晶ディスプレイ、有機ＥＬディスプレイ等である。表示部３０ａは、情報を表示する。
【００４５】
操作部３０ｂは、キーボード、マウス等である。操作部３０ｂは、操作を検出する。
【００４６】
通信部３０ｃは、通信網５０に接続され、通信網５０を介して印刷装置１０、スマートフォン２０及びサーバー４０と通信する。
【００４７】
メモリー３０ｄは、ハードディスクユニット、不揮発性メモリー及び一時記憶メモリーを備える。不揮発性メモリーは、フラッシュメモリー等である。不揮発性メモリーには、プログラム、諸設定データ等が保存される。一時記憶メモリーは、ＲＡＭ等である。一時記憶メモリーには、処理データ等が一時保存される。
【００４８】
ＣＰＵ３０ｅは、メモリー３０ｄに保存されたプログラムにしたがってＰＣ３０の全体を制御する。
【００４９】
接続Ｉ／Ｆ３０ｆには、デジタル多目的ディスク（ＤＶＤ）ドライブ、プリンター等の他のデバイスが接続される。
【００５０】
１．５  サーバー
サーバー４０は、記憶装置４０ａ、通信部４０ｂ、メモリー４０ｃ及びＣＰＵ４０ｄを備える。
【００５１】
記憶装置４０ａは、大容量のハードディスクユニットを備える。
【００５２】
通信部４０ｂは、通信網５０に接続され、通信網５０を介して印刷装置１０、スマートフォン２０及びＰＣ３０と通信する。
【００５３】
メモリー４０ｃは、不揮発性メモリー及び一時記憶メモリーを備える。不揮発性メモリーは、フラッシュメモリー等である。不揮発性メモリーには、プログラム、諸設定データ等が保存される。一時記憶メモリーは、ＲＡＭ等である。一時記憶メモリーには、処理データ等が一時保存される。
【００５４】
ＣＰＵ４０ｄは、メモリー４０ｃに保存されたプログラムにしたがってサーバー４０の全体を制御する。
【００５５】
１．６  写真のプリント
図２は、実施の形態１のプリントシステムに備えられる、スマートフォンに保存された写真をプリントするための構成を図示するブロック図である。
【００５６】
スマートフォン２０は、図２に図示されるように、メモリー２０ｇを備える。
【００５７】
メモリー２０ｇには、画像データＤ２０及びユーザー情報Ｄ２１が保存される。画像データＤ２０は、ユーザーにより保存される。ユーザー情報Ｄ２１は、識別情報Ｄ２２及び嗜好情報Ｄ２３を含む。識別情報Ｄ２２は、ユーザーを識別する情報である。識別情報Ｄ２２は、ユーザー名、メールアドレス、電話番号等である。嗜好情報Ｄ２３は、ユーザーの画像についての嗜好に影響する情報である。嗜好情報Ｄ２３は、スマートフォン２０により取得される。嗜好情報Ｄ２３は、ユーザーの基本情報、ユーザーの普段の生活の情報等を含む。ユーザーの基本情報は、年齢、居住地、性別等を含む。ユーザーの普段の生活の情報は、ショッピングの履歴、スマートフォン２０にダウンロードされ利用されているアプリケーションについての情報等を含む。ショッピングの履歴は、回数、金額、品物等を含む。アプリケーションについての情報は、アプリケーションの数、ジャンル、全世界におけるダウンロードランキング等を含む。
【００５８】
印刷装置１０は、画像補正装置１００及び画像データ出力部１０１を備える。
【００５９】
画像補正装置１００は、メモリー２０ｇに保存された画像データＤ１０ａを取得し、取得した画像データＤ１０ａを補正して補正画像データＤ１０ｂを生成する。画像補正装置１００が、印刷装置１０以外の装置に備えられてもよい。したがって、画像補正装置１００により行われる画像データＤ１０ａの補正が、印刷装置１０以外の装置により行われてもよい。
【００６０】
画像データ出力部１０１は、生成された補正画像データＤ１０ｂを出力する。実施の形態１においては、画像データ出力部１０１は、印刷部１０ｇであり、補正画像データＤ１０ｂにより表現される画像を印刷することにより、補正画像データＤ１０ｂを出力する。画像データ出力部１０１が、印刷装置１０に無線接続又は有線接続されたディスプレイに補正画像データＤ１０ｂを送信し、当該ディスプレイに補正画像データＤ１０ｂにより表現される画像を表示させることにより、補正画像データＤ１０ｂを出力してもよい。また、画像データ出力部１０１が、画像データを保存することができるデバイスに補正画像データＤ１０ｂを保存することにより、補正画像データＤ１０ｂを出力してもよい。また、画像データ出力部１０１が、他の情報処理装置に補正画像データＤ１０ｂを送信することにより、補正画像データＤ１０ｂを出力してもよい。他の情報処理装置に補正画像データＤ１０ｂが送信される場合は、通信部１０ｃが通信網５０に接続され、サーバーを経由して他の情報処理装置に補正画像データＤ１０ｂが送信される。又は、通信部１０ｃが通信網５０に接続され、電子メールで他の情報処理装置に補正画像データＤ１０ｂが送信される。
【００６１】
１．７  画像補正装置
画像補正装置１００は、図２に図示されるように、画像データ取得部１１０、ユーザー情報取得部１１１、識別情報抽出部１１２、嗜好情報抽出部１１３、嗜好情報解析部１１４、補正情報選択部１１５、画像データ補正部１１６及び補正情報保存部１１７を備える。これらの要素は、ＣＰＵ１０ｅがメモリー１０ｄに保存されたプログラムにしたがって印刷装置１０の全体を制御することにより構成される。
【００６２】
サーバー４０は、補正情報保存部４００を備える。補正情報保存部４００は、ＣＰＵ４０ｄがメモリー４０ｃに保存されたプログラムにしたがってサーバー４０の全体を制御することにより構成される。
【００６３】
画像補正装置１００、情報処理装置３０及びサーバー４０は、画像データＤ１０ａを補正する画像補正システムＳＹＳを構成する。
【００６４】
以下では、まず、補正情報保存部１１７及び補正情報保存部４００に保存される情報について説明し、続いて、画像補正装置１００による画像データＤ１０ａの補正について説明する。
【００６５】
１．８  補正情報保存部に保存される情報
図３は、実施の形態１のプリントシステムに備えられる補正情報保存部に保存される情報を説明する図である。
【００６６】
補正情報保存部１１７には、図３に図示されるように、複数の識別情報の各々である各識別情報Ｄ１０２について複数の補正情報Ｄ１０４が保存される。複数の補正情報Ｄ１０４は、複数の嗜好情報Ｄ１０３にそれぞれ対応し、画像データＤ１０ａの補正の内容を示す。
【００６７】
補正情報保存部４００にも、複数の識別情報の各々である各識別情報Ｄ４０２について複数の補正情報Ｄ４０４が保存される。複数の補正情報Ｄ４０４は、複数の嗜好情報Ｄ４０３にそれぞれ対応し、画像データＤ１０ａの補正の内容を示す。
【００６８】
ＰＣ３０は、新たな補正情報を補正情報保存部１１７に登録することができ、補正情報保存部１１７に既に登録されている複数の補正情報Ｄ１０４に含まれる補正情報を更新することができ、補正情報保存部１１７に既に登録されている複数の補正情報Ｄ１０４に含まれる補正情報を削除することができる。また、ＰＣ３０は、新たな嗜好情報を補正情報保存部１１７に登録することができ、補正情報保存部１１７に既に登録されている複数の嗜好情報Ｄ１０３に含まれる嗜好情報を更新することができ、補正情報保存部１１７に既に登録されている複数の嗜好情報Ｄ１０３に含まれる嗜好情報を削除することができる。ＰＣ３０以外の装置が登録、更新及び削除を行ってもよい。例えば、サーバー４０が登録、更新及び削除を行ってもよい。登録、更新及び削除が定期的に行われてもよい。
【００６９】
また、ＰＣ３０は、新たな補正情報を補正情報保存部４００に登録することができ、補正情報保存部４００に既に登録されている複数の補正情報Ｄ４０４に含まれる補正情報を更新することができ、補正情報保存部４００に既に登録されている複数の補正情報Ｄ４０４に含まれる補正情報を削除することができる。また、ＰＣ３０は、新たな嗜好情報を補正情報保存部４００に登録することができ、補正情報保存部４００に既に登録されている複数の嗜好情報Ｄ４０３に含まれる嗜好情報を更新することができ、補正情報保存部４００に既に登録されている複数の嗜好情報Ｄ４０３に含まれる嗜好情報を削除することができる。ＰＣ３０以外の装置がこれらの登録、更新及び削除を行ってもよい。例えば、サーバー４０が登録、更新及び削除を行ってもよい。登録、更新及び削除が定期的に行われてもよい。
【００７０】
補正情報保存部１１７は、複数の補正情報Ｄ１０４に含まれる補正情報Ｄ１０４ａを補正情報保存部４００に保存することができる。また、補正情報保存部１１７は、補正情報の存否を補正情報保存部４００に照会することができる。
【００７１】
補正情報保存部４００は、複数の補正情報Ｄ４０４に含まれる補正情報Ｄ４０４ａを補正情報保存部１１７に保存することができる。また、補正情報保存部４００は、補正情報の存否を補正情報保存部１１７に照会することができる。
【００７２】
これにより、補正情報保存部１１７及び４００は、補正情報を共有することができる。
【００７３】
複数の嗜好情報Ｄ１０３は、嗜好情報リストＬ１０を構成する。複数の嗜好情報Ｄ４０３は、嗜好情報リストＬ４０を構成する。
【００７４】
１．９  補正情報の内容
図４は、実施の形態１のプリントシステムに備えられる補正情報保存部に保存される補正情報の内容を示す図である。
【００７５】
複数の補正情報Ｄ１０４の各々である各補正情報Ｄ１０４ｂは、画像データＤ１０ａの補正の内容を示す。各補正情報Ｄ１０４ｂは、図４に図示されるように、色相補正の内容Ｄ１１０、コントラスト補正の内容Ｄ１１１、シャープネス補正の内容Ｄ１１２、彩度補正の内容Ｄ１１３及び明暗度補正の内容Ｄ１１４からなる群より選択される少なくともひとつの補正の内容を含む。各補正情報Ｄ１０４ｂがこれらの補正以外の補正の内容を含んでもよい。複数の補正情報Ｄ４０４の各々である各補正情報Ｄ４０４ｂについても、同様である。
【００７６】
１．１０  画像補正装置による画像データの補正
画像データ取得部１１０は、図２に図示されるように、スマートフォン２０から画像データＤ１０ａを取得する。取得される画像データＤ１０ａは、スマートフォン２０のメモリー２０ｇに保存された画像データＤ２０からユーザーにより選択される。取得された画像データＤ１０ａは、画像データ補正部１１６に入力される。取得された画像データＤ１０ａは、ユーザーが印刷装置１０の使用を終了するまで、メモリー１０ｄに一時的に保存される。画像データ取得部１１０がスマートフォン２０以外の装置から画像データＤ１０ａを取得してもよい。スマートフォン２０以外の装置は、通信部１０ｃ又は接続Ｉ／Ｆ１０ｈに有線接続又は無線接続される。
【００７７】
ユーザー情報取得部１１１は、スマートフォン２０からユーザー情報Ｄ１１ａを取得する。取得されるユーザー情報Ｄ１１ａは、スマートフォン２０のメモリー２０ｇに保存されたユーザー情報Ｄ２１から選択される。これにより、ユーザー情報取得部１１１は、取得したユーザー情報Ｄ１１ａに含まれる識別情報Ｄ１２ａ及び嗜好情報Ｄ１３ａを取得する。取得されたユーザー情報Ｄ１１ａは、識別情報抽出部１１２及び嗜好情報抽出部１１３に入力される。ユーザー情報取得部１１１がスマートフォン２０以外の装置からユーザー情報Ｄ１１ａを取得してもよい。スマートフォン２０以外の装置は、通信部１０ｃ又は接続Ｉ／Ｆ１０ｈに有線接続又は無線接続される。
【００７８】
識別情報抽出部１１２は、入力されたユーザー情報Ｄ１１ａから識別情報Ｄ１２ａを抽出する。抽出された識別情報Ｄ１２ａは、補正情報選択部１１５に入力される。
【００７９】
嗜好情報抽出部１１３は、入力されたユーザー情報Ｄ１１ａから嗜好情報Ｄ１３ａを抽出する。抽出された嗜好情報Ｄ１３ａは、嗜好情報解析部１１４に入力される。
【００８０】
嗜好情報解析部１１４は、入力された嗜好情報Ｄ１３ａを解析する。これにより、ユーザーの嗜好が解析され、ユーザーの嗜好の特徴が得られる。解析の結果は、補正情報選択部１１５に入力される。
【００８１】
ユーザー情報取得部１１１により取得された嗜好情報Ｄ１３ａがふたつ以上の嗜好情報である場合は、嗜好情報解析部１１４は、入力された嗜好情報Ｄ１３ａを解析することにより、入力された嗜好情報Ｄ１３ａから、補正情報選択部１１５に入力する嗜好情報Ｄ１３ａを選択する。
【００８２】
補正情報選択部１１５は、入力された識別情報Ｄ１２ａについて保存された複数の補正情報Ｄ１０４に、入力された嗜好情報Ｄ１３ａに対応する補正情報Ｄ１４ａが含まれるか否かを、補正情報保存部１１７に照会する。また、補正情報選択部１１５は、入力された識別情報Ｄ１２ａについて保存された複数の補正情報Ｄ１０４に、入力された嗜好情報Ｄ１３ａに対応する補正情報Ｄ１４ａが含まれる場合は、補正情報保存部１１７から補正情報Ｄ１４ａを取得する。これにより、補正情報選択部１１５は、入力された識別情報Ｄ１２ａについて保存された複数の補正情報Ｄ１０４から、入力された嗜好情報Ｄ１３ａに対応する補正情報Ｄ１４ａを選択する。選択された補正情報Ｄ１４ａは、画像データ補正部１１６に入力される。
【００８３】
補正情報選択部１１５が、入力された識別情報Ｄ１２ａについて保存された複数の補正情報Ｄ４０４に、入力された嗜好情報Ｄ１３ａに対応する補正情報Ｄ１４ａが含まれるか否かを、補正情報保存部４００に照会してもよい。また、補正情報選択部１１５が、入力された識別情報Ｄ１２ａについて保存された複数の補正情報Ｄ４０４に、入力された嗜好情報Ｄ１３ａに対応する補正情報Ｄ１４ａが含まれる場合は、補正情報保存部４００から補正情報Ｄ１４ａを取得してもよい。
【００８４】
プリントシステム１が小規模のプリントシステムでありプリントシステム１に備えられる印刷装置１０の台数が少ない場合は、サーバー４０に備えられる補正情報保存部４００が、印刷装置１０に備えられる補正情報保存部１１７で代用されてもよい。
【００８５】
サーバー４０に備えられる補正情報保存部４００が省略されてもよい。この場合は、サーバー４０に備えられる補正情報保存部４００に代えて、通信網５０を介して接続される他の印刷装置１０に備えられる補正情報保存部１１７に、入力された識別情報Ｄ１２ａについて保存された複数の補正情報Ｄ１０４に、入力された嗜好情報Ｄ１３ａに対応する補正情報Ｄ１４ａが含まれるか否かが照会されてもよい。
【００８６】
画像データ補正部１１６は、入力された補正情報Ｄ１４ａにしたがって、入力された画像データＤ１０ａを補正して補正画像データＤ１０ｂを生成する。行われる補正は、色相補正、シャープネス補正、コントラスト補正、彩度補正及び明暗度補正からなる群より選択される少なくともひとつの補正を含む。生成された補正画像データＤ１０ｂは、画像データ出力部１０１に入力される。
【００８７】
印刷装置１０が、画像補正装置１００に取得させる嗜好情報Ｄ１３ａをユーザーに選択させてもよい。この場合は、例えば、画像補正装置１００に取得させる嗜好情報Ｄ１３ａをユーザーに選択させるための画面が表示部１０ａに表示される。また、画像補正装置１００に取得させることができる嗜好情報が記載されたリストが当該画面に含められ、当該リストに記載された嗜好情報から画像補正装置１００に実際に取得させる嗜好情報Ｄ１３ａを選択する操作が受け付けられる。
【００８８】
画像補正装置１００に取得させる嗜好情報Ｄ１３ａの一部が、ユーザーの選択操作又は入力操作により入力されてもよい。ユーザーの選択操作又は入力操作により入力される嗜好情報は、スマートフォン２０から取得することができない嗜好情報等である。ユーザーの選択操作又は入力操作により入力される嗜好情報は、すべてのユーザーに共通する項目を含む嗜好情報である。すべてのユーザーに共通する項目は、生体情報、外見情報、スマートフォンに保存されている写真の総枚数等である。生体情報は、血液型、身長、体重等である。外見情報は、髪型等である。スマートフォンに保存されている写真に写っている被写体が分析され、多くの写真に写っている被写体が嗜好情報として利用されてもよい。
【００８９】
補正情報保存部１１７がＰＣ３０に備えられてもよい。これにより、複数の印刷装置１０が通信網５０に接続された場合に、複数の印刷装置１０が共通の補正情報保存部１１７を利用することができる。
【００９０】
印刷装置１０に備えられる補正情報保存部１１７に加えてＰＣ３０に備えられる補正情報保存部が設けられてもよい。この場合は、複数の補正情報Ｄ１０４が更新される際、印刷装置１０が起動される際等に、印刷装置１０に備えられる補正情報保存部１１７とＰＣ３０に備えられる補正情報保存部との間で通信が行われ、補正情報保存部１１７に保存されている複数の補正情報Ｄ１０４、及びＰＣ３０に備えられる補正情報保存部に保存されている複数の補正情報が更新される。これにより、複数の印刷装置１０が同じ複数の補正情報Ｄ１０４を利用することができる。
【００９１】
１．１１  画像の表示、画像に対する画質調整及び画像データの選択
図５は、実施の形態１のプリントシステムに備えられる画像データ補正部を図示するブロック図である。
【００９２】
画像データ補正部１１６は、図５に図示されるように、画像表示部１２０、画質調整部１２１及び選択部１２２を備える。
【００９３】
画像表示部１２０は、補正画像データＤ１０ｂにより表現される画像を表示部１０ａに表示させる。
【００９４】
画質調整部１２１は、画質調整インターフェースを表示部１０ａに表示させ、表示させた画質調整インターフェースに対して行われた操作にしたがって補正画像データＤ１０ｂに対する画質調整を行う。
【００９５】
選択部１２２は、画像データ取得部１１０により取得された画像データＤ１０ａが複数の画像データである場合に、選択インターフェースを表示部１０ａに表示させ、表示させた選択インターフェースに対して行われた操作にしたがって画像データ取得部１１０により取得された画像データＤ１０ａからの補正される画像データＤ１０ａの選択を行う。
【００９６】
補正情報選択部１１５は、画質調整部１２１により行われる画質調整、及び／又は選択部１２２により行われる選択に基づいて、補正情報保存部１１７に保存された複数の補正情報Ｄ１０４を修正する。
【００９７】
１．１２  補正情報保存部に保存される複数の補正情報
図６は、実施の形態１のプリントシステムに備えられる補正情報保存部に保存される赤み（Ｒ）調整テーブルの例、及び当該プリントシステムに備えられる補正情報選択部により当該Ｒ調整テーブルから選択される色調整テーブルの例を図示する図である。図７は、実施の形態１のプリントシステムに備えられる補正情報保存部に保存される緑み（Ｇ）調整テーブルの例、及び当該プリントシステムに備えられる補正情報選択部により当該Ｇ調整テーブルから選択される色調整テーブルの例を図示する図である。図８は、実施の形態１のプリントシステムに備えられる補正情報保存部に保存される青み（Ｂ）調整テーブルの例、及び当該プリントシステムに備えられる補正情報選択部により当該Ｂ調整テーブルから選択される色調整テーブルの例を図示する図である。図９は、実施の形態１のプリントシステムに備えられる補正情報保存部に保存されるコントラスト補正テーブルの例、及び当該プリントシステムに備えられる補正情報選択部により当該コントラスト補正テーブルから選択されるコントラスト補正パラメータの例を図示する図である。
【００９８】
画像データ補正部１１６により行われる補正が色相補正及びコントラスト補正を含む場合は、複数の補正情報Ｄ１０４は、図６（ａ）に図示されるＲ調整テーブルＴＲ１、図７（ａ）に図示されるＧ調整テーブルＴＧ１、図８（ａ）に図示されるＢ調整テーブルＴＢ１及び図９（ａ）に図示されるコントラスト補正テーブルＴＣ１を含む。Ｒ調整テーブルＴＲ１、Ｇ調整テーブルＴＧ１及びＢ調整テーブルＴＢ１は、ＲＧＢ色調整テーブルを構成する。
【００９９】
Ｒ調整テーブルＴＲ１においては、横軸がｍ個の年齢の階級に分割され、縦軸がｎ個の写真ジャンルアプリケーション数の階級に分割される。ｍ個の年齢の階級の各々の幅は、１０歳である。ｎ個の写真ジャンルアプリケーション数の階級の各々の幅は、１個である。Ｒ調整テーブルＴＲ１においては、ｍ×ｎ個の年齢の階級と写真ジャンルアプリケーション数の階級との組み合わせにそれぞれ対応するｍ×ｎ個の色調整テーブルＴＲ２が定義される。ｍ×ｎ個の色調整テーブルＴＲ２の各々は、入力階調と出力階調との関係を示す。
【０１００】
Ｇ調整テーブルＴＧ１においては、横軸がｓ個の年齢の階級に分割され、縦軸がｔ個の写真ジャンルアプリケーション数の階級に分割される。ｓ個の年齢の階級の各々の幅は、１０歳である。ｔ個の写真ジャンルアプリケーション数の階級の各々の幅は、１個である。Ｇ調整テーブルＴＧ１においては、ｓ×ｔ個の年齢の階級と写真ジャンルアプリケーション数の階級との組み合わせにそれぞれ対応するｓ×ｔ個の色調整テーブルＴＧ２が定義される。ｓ×ｔ個の色調整テーブルＴＧ２の各々は、入力階調と出力階調との関係を示す。
【０１０１】
Ｂ調整テーブルＴＢ１においては、横軸がｐ個の年齢の階級に分割され、縦軸がｑ個の写真ジャンルアプリケーション数の階級に分割される。ｐ個の年齢の階級の各々の幅は、１０歳である。ｑ個の写真ジャンルアプリケーション数の階級の各々の幅は、１個である。Ｂ調整テーブルＴＢ１においては、ｐ×ｑ個の年齢の階級と写真ジャンルアプリケーション数の階級との組み合わせにそれぞれ対応するｐ×ｑ個の色調整テーブルＴＢ２が定義される。ｐ×ｑ個の色調整テーブルＴＢ２の各々は、入力階調と出力階調との関係を示す。
【０１０２】
コントラスト補正テーブルＴＣ１においては、横軸がｖ個の年齢の階級に分割され、縦軸がｗ個の写真ジャンルアプリケーション数の階級に分割される。ｖ個の年齢の階級の各々の幅は、１０歳である。ｗ個の写真ジャンルアプリケーション数の階級の各々の幅は、１個である。コントラスト補正テーブルＴＣ１においては、ｖ×ｗ個の年齢の階級と写真ジャンルアプリケーション数の階級との組み合わせにそれぞれ対応するｖ×ｗ個のコントラスト補正パラメータＰＣ２が定義される。ｖ×ｗ個のコントラスト補正パラメータＰＣ２の各々は、数値であり、コントラスト補正の強さを示す。当該数値が大きい場合は、コントラスト補正の強さが強くなる。当該数値が小さい場合は、コントラスト補正の強さが弱くなる。
【０１０３】
複数の補正情報Ｄ１０４は、図示されない、横軸が複数の年齢の階級に分割され、縦軸が複数のショッピング月額合計の階級に分割されるＲ調整テーブル、Ｇ調整テーブル、Ｂ調整テーブル及びコントラスト補正テーブルも含む。また、複数の補正情報Ｄ１０４は、図示されない、横軸が複数の居住地の階級に分割され、縦軸が複数の性別の階級に分割されるＲ調整テーブル、Ｇ調整テーブル、Ｂ調整テーブル及びコントラスト補正テーブルも含む。また、複数の補正情報Ｄ１０４は、図示されない、横軸が複数の年齢の階級に分割され、縦軸が複数の運動習慣の階級に分割されるＲ調整テーブル、Ｇ調整テーブル、Ｂ調整テーブル及びコントラスト補正テーブルも含む。また、複数の補正情報Ｄ１０４は、図示されない、横軸が複数の年齢の階級に分割され、縦軸が複数の喫煙習慣の階級に分割されるＲ調整テーブル、Ｇ調整テーブル、Ｂ調整テーブル及びコントラスト補正テーブルも含む。複数の補正情報Ｄ１０４が、これらのＲ調整テーブル、Ｇ調整テーブル、Ｂ調整テーブル及びコントラスト補正テーブル以外のＲ調整テーブル、Ｇ調整テーブル、Ｂ調整テーブル及びコントラスト補正テーブルを含んでもよい。
【０１０４】
画像データ補正部１１６により行われる補正がシャープネス補正、彩度補正及び明度補正を含む場合は、複数の補正情報Ｄ１０４は、図示されない、シャープネス補正テーブル、彩度補正テーブル及び明度補正テーブルも含む。シャープネス補正テーブル、彩度補正テーブル及び明度補正テーブルの各々も、コントラスト補正テーブルＴＣ１と同様に構成することができる。
【０１０５】
ｍ個の年齢の階級の各々の幅が、１０歳から変更されてもよい。ｓ個の年齢の階級の各々の幅、ｐ個の年齢の階級の各々の幅及びｖ個の年齢の階級の各々の幅についても、同様のことがいえる。
【０１０６】
ｎ個の写真ジャンルアプリケーション数の階級の各々の幅が、１個から変更されてもよい。ｔ個の写真ジャンルアプリケーション数の階級の各々の幅、ｑ個の写真ジャンルアプリケーション数の階級の各々の幅、及びｗ個の写真ジャンルアプリケーション数の階級の各々の幅についても、同様のことがいえる。
【０１０７】
ｍ個の年齢の階級の各々の幅、ｓ個の年齢の階級の各々の幅、ｐ個の年齢の階級の各々の幅及びｖ個の年齢の階級の各々の幅が、互いに異なってもよい。
【０１０８】
ｎ個の写真ジャンルアプリケーション数の階級の各々の幅、ｔ個の写真ジャンルアプリケーション数の階級の各々の幅、ｑ個の写真ジャンルアプリケーション数の階級の各々の幅、及びｗ個の写真ジャンルアプリケーション数の階級の各々の幅が、互いに異なってもよい。
【０１０９】
ｍ個の年齢の階級の幅が不均一であってもよい。例えば、１０歳以上２０歳未満等の特定の年齢範囲内においては、年齢の階級の幅が１歳であり、当該特定の年齢範囲外においては、年齢の階級の幅が１０歳であってもよい。ｓ個の年齢の階級の幅、ｐ個の年齢の階級の幅及びｖ個の年齢の階級の幅についても、同様のことがいえる。
【０１１０】
ｎ個の写真ジャンルアプリケーション数の階級の幅が不均一であってもよい。ｔ個の写真ジャンルアプリケーション数の階級の幅、ｑ個の写真ジャンルアプリケーション数の階級の幅及びｗ個の写真ジャンルアプリケーション数の階級の幅についても、同様のことがいえる。
【０１１１】
１．１３  Ｒ調整テーブル、Ｇ調整テーブル、Ｂ調整テーブル及びコントラスト補正パラメータの設定例
多くの場合は、ユーザーの年齢が高くなるにつれて、ユーザーの色覚は変化する。例えば、ユーザーの年齢が高くなるにつれて、ユーザーの色覚は、暗い青色が見にくくなり見ているものが黄色がかって見える方向に変化する。
【０１１２】
また、多くの場合は、ユーザーの写真ジャンルアプリケーション数が多くなるほど、ユーザーの写真に対する愛好度が高くなり、ユーザーの画像の見え方に対するこだわりも強くなる。
【０１１３】
このため、ｐ×ｑ個の色調整テーブルＴＢ２に含まれる、高い年齢が属する年齢の階級と大きな写真ジャンルアプリケーション数が属する写真ジャンルアプリケーション数の階級との組み合わせに対応する色調整テーブルは、ｍ×ｎ個の色調整テーブルＴＲ２及びｓ×ｔ個の色調整テーブルＴＧ２に含まれる、同じ組み合わせに対応する色調整テーブルと比較して、中間調において出力階調が大きくなるように設定される。例えば、図８（ｂ）に図示されるように、６０歳以上７０歳未満の年齢が属する年齢の階級と９個以上１０個以下の写真ジャンルアプリケーション数が属する写真ジャンルアプリケーション数の階級との組み合わせに対応する色調整テーブルＴＢ２ａにおいては、入力階調０−２５５と出力階調０−２５５との関係が、中間調において出力階調が入力階調より大きくなる非線形の関係にされる。また、図６（ｂ）及び図７（ｂ）にそれぞれ図示されるように、同じ組み合わせに対応する色調整テーブルＴＲ２ａ及びＴＧ２ａにおいては、入力階調０−２５５と出力階調０−２５５との関係が、出力階調が入力階調から変化しない線形の関係にされる。これにより、暗い青色が明るい青色に補正され、全体的に黄色ががって見える画像が自然な色に見える画像に補正される。
【０１１４】
また、多くの場合は、ユーザーの年齢が高くなるにつれて、ユーザーのコントラスト感度が低下する。
【０１１５】
このため、ｖ×ｗ個のコントラスト補正パラメータＰＣ２は、高い年齢が属する年齢の階級に対応するコントラスト補正パラメータにより示されるコントラスト補正の強さが強くなるように設定される。
【０１１６】
１．１４  画像加工アプリケーション数の考慮
複数の補正情報Ｄ１０４が、横軸が複数の年齢の階級に分割され、縦軸が複数の画像加工アプリケーション数の階級に分割されるＲ調整テーブル、Ｇ調整テーブル及びＢ調整テーブルを含んでもよい。
【０１１７】
画像加工アプリケーションは、低い年齢を有するユーザーに頻繁に利用される。画像加工アプリケーションは、色を鮮やかに見せるために彩度を向上させる加工、明度を高くし画像を白飛ばし気味の画像にする加工等を行う。このため、横軸が複数の年齢の階級に分割され、縦軸が複数の画像加工アプリケーション数の階級に分割されるＲ調整テーブル、Ｇ調整テーブル及びＢ調整テーブルは、低い年齢が属する年齢の階級と大きな画像加工アプリケーション数が属する画像加工アプリケーション数の階級との組み合わせに対応する色調整テーブルにより彩度及びを高めにする補正が行われるように設定される。
【０１１８】
１．１５  ユーザー情報取得部により取得される嗜好情報の例
図１０は、実施の形態１のプリントシステムに備えられるユーザー情報取得部により取得される嗜好情報の例を図示する図である。
【０１１９】
図１０に図示される嗜好情報Ｄ１３ａは、下記の嗜好情報を含む。嗜好情報Ｄ１３ａが下記の嗜好情報以外の嗜好情報を含んでもよい。嗜好情報Ｄ１３ａが含む嗜好情報の数が増減されてもよい。
(a)「年齢」という項目及び「６８」という内容を含む嗜好情報
(b)「居住地」という項目及び「京都」という内容を含む嗜好情報
(c)「性別」という項目及び「女性」という内容を含む嗜好情報
(d)「ショッピング回数」という項目及び「１０」という内容を含む嗜好情報
(e)「ショッピング月額合計」という項目及び「８０００」という内容を含む嗜好情報
(f)「ゲームジャンルアプリケーション数」という項目及び「３」という内容を含む嗜好情報
(g)「写真ジャンルアプリケーション数」という項目及び「１０」という内容を含む嗜好情報
(h)「画像保存枚数」という項目及び「６０００」という内容を含む嗜好情報
(i)「使用機種名」という項目及び「ＸＸＸ」という内容を含む嗜好情報
(j)「ＯＳバージョン」という項目及び「１２．５」という内容を含む嗜好情報
【０１２０】
１．１６  補正情報保存部に保存される嗜好情報リスト、及び補正情報選択部により作成される画像補正テーブルの例
図１１は、実施の形態１のプリントシステムに備えられる補正情報保存部に保存される嗜好情報リストの例、及び当該プリントシステムに備えられる補正情報選択部により作成される画像補正テーブルの例を図示する図である。
【０１２１】
図１１に図示される嗜好情報リストＬ１０には、下記の項目の対を含む。嗜好情報リストＬ１０に、これらの項目の対以外の項目の対が記載されてもよい。嗜好情報リストＬ１０に記載される項目の対の数が増減されてもよい。
(a)「年齢」及び「ショッピング月額合計」という項目の対Ｐ１
(b)「年齢」及び「写真ジャンルアプリケーション数」という項目の対Ｐ２
(c)「居住地」及び「性別」という項目の対Ｐ３
(d)「年齢」及び「運動習慣」という項目の対Ｐ４
(e)「年齢」及び「喫煙習慣」という項目の対Ｐ５
【０１２２】
嗜好情報リストＬ１０に記載された「年齢」、「居住地」、「性別」、「ショッピング月額合計」、「写真ジャンルアプリケーション数」、「運動習慣」及び「喫煙習慣」という項目は、補正情報選択部１１５に入力される嗜好情報Ｄ１３ａが有するべき項目である。すなわち、嗜好情報リストＬ１０に記載された「年齢」、「居住地」、「性別」、「ショッピング月額合計」、「写真ジャンルアプリケーション数」、「運動習慣」及び「喫煙習慣」という項目のいずれかと一致する項目を有する嗜好情報Ｄ１３ａが補正情報選択部１１５に入力される。
【０１２３】
図１１に図示される画像補正テーブルＴＩは、項目の対Ｐ１，Ｐ２及びＰ３にそれぞれ対応する色調整テーブルＴＲ２１，ＴＲ２２及びＴＲ２３を含み、項目の対Ｐ１，Ｐ２及びＰ３にそれぞれ対応する色調整テーブルＴＧ２１，ＴＧ２２及びＴＧ２３を含み、項目の対Ｐ１，Ｐ２及びＰ３にそれぞれ対応する色調整テーブルＴＢ２１，ＴＢ２２及びＴＢ２３を含み、項目の対Ｐ１，Ｐ２及びＰ３にそれぞれ対応するコントラスト補正パラメータＰＣ２１，ＰＣ２２及びＰＣ２３を含む。
【０１２４】
画像データ補正部１１６により行われる補正がシャープネス補正を含む場合は、画像補正テーブルＴＩは、項目の対Ｐ１，Ｐ２及びＰ３にそれぞれ対応するシャープネス補正パラメータを含む。画像データ補正部１１６により行われる補正が彩度補正を含む場合は、画像補正テーブルＴＩは、項目の対Ｐ１，Ｐ２及びＰ３にそれぞれ対応する彩度補正パラメータを含む。画像データ補正部１１６により行われる補正が明度補正を含む場合は、画像補正テーブルＴＩは、項目の対Ｐ１，Ｐ２及びＰ３にそれぞれ対応する明度補正パラメータを含む。
【０１２５】
１．１７  適用される画像補正パラメータの例
図１２は、実施の形態１のプリントシステムに備えられる画像データ補正部により画像データに適用される画像補正パラメータの例を示す図である。
【０１２６】
図１２に図示される画像補正パラメータＰは、色調整テーブルＴＲ２Ｘ、色調整テーブルＴＧ２Ｘ、色調整テーブルＴＢ２Ｘ及びコントラスト補正パラメータＰＣ２Ｘを含む。
【０１２７】
画像データ補正部１１６により行われる補正がシャープネス補正、彩度補正及び明度補正を含む場合は、画像補正パラメータＰは、それぞれシャープネス補正パラメータ、彩度補正パラメータ及び明度補正パラメータを含む。
【０１２８】
１．１８  補正情報選択画面の例
図１３は、実施の形態１のプリントシステムに備えられる表示部に表示される補正情報選択画面の例を示す図である。
【０１２９】
図１３に図示される補正情報選択画面Ｓは、補正画像データＤ１０ｂにより表現される画像Ｉ、画質調整インターフェースＩＮ１及び選択インターフェースＩＮ２を含む。
【０１３０】
画質調整インターフェースＩＮ１は、コントラスト補正ボタンＢＣ１、コントラスト補正ボタンＢＣ２、赤み補正ボタンＢＲ１、赤み補正ボタンＢＲ２、緑み補正ボタンＢＧ１、緑み補正ボタンＢＧ２、青み補正ボタンＢＢ１及び青み補正ボタンＢＢ２を含む。
【０１３１】
画質調整部１２１は、コントラスト補正ボタンＢＣ１及びＢＣ２に対して行われた操作にしたがってコントラスト調整を補正画像データＤ１０ｂに対して行う。画質調整部１２１は、コントラスト補正ボタンＢＣ１を押下する操作が行われた場合は、コントラストを強くするコントラスト調整を補正画像データＤ１０ｂに対して行う。また、画質調整部１２１は、コントラスト補正ボタンＢＣ２を押下する操作が行われた場合は、コントラストを弱くするコントラスト調整を補正画像データＤ１０ｂに対して行う。
【０１３２】
画質調整部１２１は、赤み補正ボタンＢＲ１及びＢＲ２に対して行われた操作にしたがって赤み調整を補正画像データＤ１０ｂに対して行う。画質調整部１２１は、赤み補正ボタンＢＲ１を押下する操作が行われた場合は、赤みを強くする赤み調整を補正画像データＤ１０ｂに対して行う。また、画質調整部１２１は、赤み補正ボタンＢＣ２を押下する操作が行われた場合は、赤みを弱くする赤み調整を補正画像データＤ１０ｂに対して行う。
【０１３３】
画質調整部１２１は、緑み補正ボタンＢＧ１及びＢＧ２に対して行われた操作にしたがって緑み調整を補正画像データＤ１０ｂに対して行う。画質調整部１２１は、緑み補正ボタンＢＧ１を押下する操作が行われた場合は、緑みを強くする緑み調整を補正画像データＤ１０ｂに対して行う。また、画質調整部１２１は、緑み補正ボタンＢＧ２を押下する操作が行われた場合は、緑みを弱くする緑み調整を補正画像データＤ１０ｂに対して行う。
【０１３４】
画質調整部１２１は、青み補正ボタンＢＢ１及びＢＢ２に対して行われた操作にしたがって青み調整を補正画像データＤ１０ｂに対して行う。画質調整部１２１は、青み補正ボタンＢＢ１を押下する操作が行われた場合は、青みを強くする青み調整を補正画像データＤ１０ｂに対して行う。また、画質調整部１２１は、青み補正ボタンＢＢ２を押下する操作が行われた場合は、青みを弱くする青み調整を補正画像データＤ１０ｂに対して行う。
【０１３５】
選択インターフェースＩＮ２は、画像データ取得部１１０により取得されメモリー１０ｄに一時的に保存されている画像データＤ１０ａにより表現される画像を含む。画像データＤ１０ａが複数の画像データである場合は、当該複数の画像データによりそれぞれ表現される複数の画像が一覧表示される。選択部１２２は、選択インターフェースＩＮ２に対して行われた操作にしたがって画像データ取得部１１０により取得された画像データＤ１０ａから補正される画像データＤ１０ａを選択する。
【０１３６】
また、補正情報選択画面Ｓは、オリジナリティ表示ＯＲを含む。オリジナリティ表示ＯＲは、嗜好情報Ｄ１３ａに基づいて作成された、適用される画像補正パラメータＰのオリジナリティの度合いを示す。オリジナリティ表示ＯＲは、嗜好情報Ｄ１３ａに基づいて生成される画像Ｉのオリジナリティの度合いを通知する。
【０１３７】
オリジナリティ表示ＯＲにおいては、分数が、適用される画像補正パラメータＰのオリジナリティの度合いを示す。分数の分母は、補正情報保存部１０９に保存されているＲ調整テーブルＴＲ１、Ｇ調整テーブルＴＧ１、Ｂ調整テーブルＴＢ１及びコントラスト補正テーブルＴＣ１から作成することができる互いに異なる画像補正パラメータの数であってもよいし、プリントシステム１を使用したユーザーがこれまでに実際に作成した互いに異なる画像補正パラメータの数であってもよい。分数の分子は、適用される画像補正パラメータＰと同じ画像補正パラメータを作成したユーザーの数である。
【０１３８】
ユーザーは、オリジナリティ表示ＯＲにより、嗜好情報Ｄ１３ａに基づいて作成された画像Ｉが個性的であること及び／又は独創性を有することを認識することができ、満足感を得ることができる。また、ユーザーは、オリジナリティ表示ＯＲにより、自身が作成した画像補正パラメータＰと同じ画像補正パラメータを作成したユーザーが存在することを認識することができ、同調性を感じることができる。
【０１３９】
分数以外の表示要素が、適用される画像補正パラメータＰのオリジナリティの度合いを示してもよい。例えば、度数分布を表すグラフが、適用される画像補正パラメータＰのオリジナリティの度合いを示してもよい。
【０１４０】
１．１９  印刷装置の動作
以下では、画像データ補正部１１６により行われる補正が色相補正及びコントラスト補正である場合を例として、画像データＤ１０ａが補正され補正画像データＤ１０ｂが出力される際の印刷装置１０の動作を、図６から図１３までに図示される例を参照しながら説明する。
【０１４１】
図１４は、実施の形態１のプリントシステムに備えられる印刷装置により行われる画像データの補正及び画像データの出力の流れを示すフローチャートである。
【０１４２】
画像データＤ１０ａが補正され、補正画像データＤ１０ｂが出力される際には、図１４に図示されるステップＳ１０１からＳ１０８までが順次に実行される。
【０１４３】
ステップＳ１０１においては、画像データ取得部１１０が、スマートフォン２０から画像データＤ１０ａを取得する。また、ユーザー情報取得部１１１が、スマートフォン２０からユーザー情報Ｄ１１ａを取得する。
【０１４４】
ステップＳ１０２においては、識別情報抽出部１１２が、取得されたユーザー情報Ｄ１１ａから識別情報Ｄ１２ａを抽出する。
【０１４５】
ステップＳ１０３においては、嗜好情報抽出部１１３が、取得されたユーザー情報Ｄ１１ａから図１０に図示される嗜好情報Ｄ１３ａを抽出する。
【０１４６】
ステップＳ１０４においては、嗜好情報解析部１１４が、抽出された嗜好情報Ｄ１３ａを解析し、図１１に図示される嗜好情報リストＬ１０に記載された「年齢」、「居住地」、「性別」、「ショッピング月額合計」、「写真ジャンルアプリケーション数」、「運動習慣」及び「喫煙習慣」という項目のいずれかと一致する項目を有する嗜好情報を選択する。これにより、嗜好情報解析部１１４は、「年齢」という項目及び「６８」という内容を含む嗜好情報、「居住地」という項目及び「京都」という内容を含む嗜好情報、「性別」という項目及び「女性」という内容を含む嗜好情報、「ショッピング月額合計」という項目及び「８０００」という内容を含む嗜好情報、並びに「写真ジャンルアプリケーション数」という項目及び「１０」という内容を含む嗜好情報を選択する。嗜好情報Ｄ１３ａの解析については、後述する。
【０１４７】
ステップＳ１０５においては、補正情報選択部１１５が、図１１に図示されるように、嗜好情報リストＬ１０に記載された「年齢」及び「ショッピング月額合計」という項目の対Ｐ１に対応する色調整テーブルＴＲ２１、色調整テーブルＴＧ２１、色調整テーブルＴＢ２１及びコントラスト補正パラメータＰＣ２１を、それぞれ、図示されない、横軸が複数の年齢の階級に分割され、縦軸が複数のショッピング月額合計の階級に分割されるＲ調整テーブル、Ｇ調整テーブル、Ｂ調整テーブル及びコントラスト補正テーブルから選択する。
【０１４８】
また、補正情報選択部１１５が、図１１に図示されるように、嗜好情報リストＬ１０に記載された「年齢」及び「写真ジャンルアプリケーション数」という項目の対Ｐ２に対応する色調整テーブルＴＲ２２、色調整テーブルＴＧ２２、色調整テーブルＴＢ２２及びコントラスト補正パラメータＰＣ２２を、それぞれ図６（ａ）に図示されるＲ調整テーブルＴＲ１、図７（ａ）に図示されるＧ調整テーブルＴＧ１、図８（ａ）に図示されるＢ調整テーブルＴＢ１、及び図９（ａ）に図示されるコントラスト補正テーブルＴＣ１から選択する。
【０１４９】
色調整テーブルＴＲ２２が選択される際には、図６に図示されるように、嗜好情報Ｄ１３ａに含まれる「６８」という年齢が属する座標値ｍ＝７の年齢の階級と、嗜好情報Ｄ１３ａに含まれる「１０」という写真ジャンルアプリケーション数が属する座標値ｎ＝１０の写真ジャンルアプリケーション数の階級との組み合わせ（ｍ，ｎ）＝（７，１０）に対応する色調整テーブルＴＲ２ａが選択される。
【０１５０】
また、色調整テーブルＴＧ２２が選択される際には、図７に図示されるように、嗜好情報Ｄ１３ａに含まれる「６８」という年齢が属する座標値ｓ＝７の年齢の階級と、嗜好情報Ｄ１３ａに含まれる「１０」という写真ジャンルアプリケーション数が属する座標値ｔ＝１０の写真ジャンルアプリケーション数の階級との組み合わせ（ｓ，ｔ）＝（７，１０）に対応する色調整テーブルＴＧ２ａが選択される。
【０１５１】
また、色調整テーブルＴＢ２２が選択される際には、図８に図示されるように、嗜好情報Ｄ１３ａに含まれる「６８」という年齢が属する座標値ｐ＝７の年齢の階級と、嗜好情報Ｄ１３ａに含まれる「１０」という写真ジャンルアプリケーション数が属する座標値ｑ＝１０の写真ジャンルアプリケーション数の階級との組み合わせ（ｐ，ｑ）＝（７，１０）に対応する色調整テーブルＴＢ２ａが選択される。
【０１５２】
コントラスト補正パラメータＰＣ２２が選択される際には、図９に図示されるように、嗜好情報Ｄ１３ａに含まれる「６８」という年齢が属する座標値ｖ＝７の年齢の階級と、嗜好情報Ｄ１３ａに含まれる「１０」という写真ジャンルアプリケーション数が属する座標値ｗ＝１０の写真ジャンルアプリケーション数の階級との組み合わせ（ｖ，ｗ）＝（７，１０）に対応するコントラスト補正パラメータＰＣ２ａが選択される。
【０１５３】
また、補正情報選択部１１５が、図１１に図示されるように、嗜好情報リストＬ１０に記載された「居住地」及び「性別」という項目の対Ｐ３に対応する色調整テーブルＴＲ２３、色調整テーブルＴＧ２３、色調整テーブルＴＢ２３及びコントラスト補正パラメータＰＣ２３を、それぞれ、図示されない、横軸が複数の居住地の階級に分割され、縦軸が複数の性別の階級に分割されるＲ調整テーブル、Ｇ調整テーブル、Ｂ調整テーブル及びコントラスト補正テーブルから選択する。
【０１５４】
ただし、補正情報選択部１１５は、選択された嗜好情報Ｄ１３ａに含まれない「運動習慣」という項目を含む「年齢」及び「運動習慣」という項目の対Ｐ４に対応する色調整テーブル及びコントラスト補正パラメータを選択しない。
【０１５５】
また、補正情報選択部１１５は、選択された嗜好情報Ｄ１３ａに含まれない「喫煙習慣」という項目を含む「年齢」及び「喫煙習慣」という項目の対Ｐ５に対応する色調整テーブル及びコントラスト補正パラメータを選択しない。
【０１５６】
また、補正情報選択部１１５は、選択した色調整テーブルＴＲ２１，ＴＲ２２及びＴＲ２３、色調整テーブルＴＧ２１，ＴＧ２２及びＴＧ２３、色調整テーブルＴＢ２１，ＴＢ２２及びＴＢ２３、並びにコントラスト補正パラメータＰＣ２１，ＰＣ２２及びＰＣ２３を含む画像補正テーブルＴＩを作成する。
【０１５７】
また、補正情報選択部１１５は、作成した画像補正テーブルＴＩから、図１２に図示される、適用される画像補正パラメータＰを作成し、作成した画像補正パラメータＰをメモリー１０ｄに保存する。
【０１５８】
ＰＣ３０及びサーバー４０は、通信網５０を経由して、保存された画像補正パラメータＰを取得して蓄積する。また、ＰＣ３０及びサーバー４０は、保存された画像補正パラメータＰを変更することができる。
【０１５９】
色調整テーブルＴＲ２Ｘ、色調整テーブルＴＧ２Ｘ、色調整テーブルＴＢ２Ｘ及びコントラスト補正パラメータＰＣ２Ｘが組み合わされた情報にしたがって画像データＤ１０ａが補正されてもよい。
【０１６０】
色調整テーブルＴＲ２Ｘは、色調整テーブルＴＲ２１，ＴＲ２２及びＴＲ２３から作成される。色調整テーブルＴＲ２Ｘにおける入力階調に対応する出力階調は、色調整テーブルＴＲ２１，ＴＲ２２及びＴＲ２３における当該入力階調にそれぞれ対応する３個の出力階調の平均である。
【０１６１】
色調整テーブルＴＧ２Ｘは、色調整テーブルＴＧ２１，ＴＧ２２及びＴＧ２３から作成される。色調整テーブルＴＧ２Ｘにおける入力階調に対応する出力階調は、色調整テーブルＴＧ２１，ＴＧ２２及びＴＧ２３における当該入力階調にそれぞれ対応する３個の出力階調の平均である。
【０１６２】
色調整テーブルＴＢ２Ｘは、色調整テーブルＴＢ２１，ＴＢ２２及びＴＢ２３から作成される。色調整テーブルＴＢ２Ｘにおける入力階調に対応する出力階調は、色調整テーブルＴＢ２１，ＴＢ２２及びＴＢ２３における当該入力階調にそれぞれ対応する３個の出力階調の平均である。
【０１６３】
コントラスト補正パラメータＰＣ２Ｘは、コントラスト補正パラメータＰＣ２１，ＰＣ２２及びＰＣ２３から作成される。コントラスト補正パラメータＰＣ２Ｘは、コントラスト補正パラメータＰＣ２１，ＰＣ２２及びＰＣ２３の平均である。
【０１６４】
ステップＳ１０６においては、画像データ補正部１１６が、作成された画像補正パラメータＰを画像データＤ１０ａに適用して補正画像データＤ１０ｂを生成する。
【０１６５】
また、画像表示部１２０が、図１３に図示される、生成された補正画像データＤ１０ｂにより表現される画像Ｉを表示部１０ａに表示させる。これにより、ユーザーは、補正画像データＤ１０ｂにより表現される画像Ｉを確認することができる。また、ユーザーは、必要に応じて、画質調整インターフェースＩＮ１を用いて補正画像データＤ１０ｂに対する画質調整を行うことができる。
【０１６６】
ステップＳ１０７においては、画像データ補正部１１６が、画像データＤ１０ａを補正する。画像データ補正部１１６は、画質調整インターフェースＩＮ１を用いて補正画像データＤ１０ｂに対する画質調整が行われていない場合は、画像補正パラメータＰをそのまま画像データＤ１０ａに適用する。また、画像データ補正部１１６は、画質調整インターフェースＩＮ１を用いて補正画像データＤ１０ｂに対する画質調整が行われている場合は、行われた画質調整に応じて画像補正パラメータＰを微調整し、微調整された画像補正パラメータを画像データＤ１０ａに適用する。
【０１６７】
また、補正情報選択部１０８は、画像補正パラメータＰと微調整された画像補正パラメータとの差違を検出する。また、補正情報選択部１０８は、検出した差違を補正情報保存部１１７にフィードバックし、複数の補正情報Ｄ１０４を修正する。これにより、画質調整に基づいて複数の補正情報Ｄ１０４を修正することができる。これにより、嗜好情報Ｄ１３ａに基づいて作成される画像補正パラメータＰを充実させることができ、嗜好情報Ｄ１３ａに基づいて作成される画像補正パラメータＰがユーザーの嗜好に適合する可能性を高めることができる。
【０１６８】
ステップＳ１０８においては、画像データ出力部１０１が、生成された補正画像データＤ１０ｂを出力する。画像データ出力部１０１が、補正画像データＤ１０ｂに加えてオリジナリティ表示ＯＲの内容を出力してもよい。その場合は、画像データ出力部１０１が、画像補正パラメータＰを識別する識別コードを出力してもよい。これにより、画像補正パラメータＰを識別することが容易になる。識別コードは、英数字、記号等により構成される。印刷装置１０においては、後にユーザーが出力された識別コードを印刷装置１０に入力した場合に、入力された識別コードにより識別される画像補正パラメータＰを画像データＤ１０ａに適用することができるように構成される。
【０１６９】
印刷装置１０は、入力された識別コードにより識別される画像補正パラメータＰを参照することができるように構成される。これにより、ユーザーが出力された識別コードを印刷装置１０に入力せずに嗜好情報Ｄ１３ａに基づいて画像補正パラメータＰを作成する場合であっても、ユーザーは、嗜好情報の時間の経過に伴う変化による画像補正パラメータＰの変化を認識することができる。
【０１７０】
１．２０  嗜好情報の解析
図１５は、実施の形態１のプリントシステムに備えられる嗜好情報解析部により行われる嗜好情報の解析の流れを示すフローチャートである。
【０１７１】
嗜好情報Ｄ１３ａが解析される際には、図１５に図示されるステップＳ１１１からＳ１１５までが順次に実行される。
【０１７２】
ステップＳ１１１においては、補正情報選択部１１５が、補正情報保存部１１７から嗜好情報リストＬ１０を取り込む。補正情報選択部１１５が、補正情報保存部１１７から嗜好情報リストＬ１０を取り込むのに加えて、補正情報保存部４００から嗜好情報リストＬ４０を取り込んでもよい。これにより、すべての嗜好情報の項目が嗜好情報リストＬ１０に記載されていない場合であっても、嗜好情報リストＬ１０に記載されていない嗜好情報の項目を嗜好情報リストＬ４０から得ることができる。
【０１７３】
ステップＳ１１２においては、補正情報選択部１１５が、取り込んだ嗜好情報リストＬ１０及びＬ４０に記載されている嗜好情報の項目から選択したひとつの項目について、嗜好情報Ｄ１３ａ中の該当する嗜好情報の存否を確認する。該当する嗜好情報は、当該ひとつの項目に一致する項目を含む嗜好情報である。
【０１７４】
そして、該当する嗜好情報が存在する場合は、補正情報選択部１１５が、ステップＳ１１４において、該当する嗜好情報を読み込み、ステップＳ１１５において、嗜好情報リストＬ１０及びＬ４０に記載されている嗜好情報の項目の全部について該当する嗜好情報の存否を確認したか否かを判定する。一方、該当する嗜好情報が存在しない場合は、ステップＳ１１５において、嗜好情報リストＬ１０及びＬ４０に記載されている嗜好情報の項目の全部について該当する嗜好情報の存否を確認したか否かを判定する。
【０１７５】
補正情報選択部１１５は、嗜好情報リストＬ１０及びＬ４０に記載されている嗜好情報の項目の全部について該当する嗜好情報の存否を確認した場合は、嗜好情報Ｄ１３ａの解析を終了する。一方、補正情報選択部１１５は、嗜好情報リストＬ１０及びＬ４０に記載されている嗜好情報の項目の全部について該当する嗜好情報の存否を確認していない場合は、再びステップＳ１１２において、取り込んだ嗜好情報リストＬ１０及びＬ４０に記載されている嗜好情報の項目から選択した別のひとつの項目について、該当する嗜好情報の存否を確認する。
【０１７６】
１．２１  実施の形態１の発明の効果
実施の形態１の発明によれば、画像についての嗜好に影響する嗜好情報Ｄ１３ａが取得され、取得された嗜好情報Ｄ１３ａに対応する補正情報Ｄ１４ａにしたがって画像データＤ１０ａが補正される。このため、画像についての嗜好に適合する補正情報Ｄ１４ａをユーザーに準備させることなく、画像についての嗜好に適合する補正を画像データＤ１０ａに行うことができる。
【０１７７】
また、実施の形態１の発明によれば、ユーザーの画像についての嗜好が流行の影響を受けて変化した場合、ユーザーの画像についての嗜好が加齢により変化した場合等においても、ユーザーの画像についての嗜好が反映される嗜好情報Ｄ１３ａも変化し、画像についての嗜好に適合する補正を画像データＤ１０ａに行うことができる。
【０１７８】
また、実施の形態１の発明によれば、複数のユーザーがそれぞれ有する複数の嗜好情報Ｄ１３ａは互いに異なるため、当該複数の嗜好情報Ｄ１３ａに基づいてそれぞれ作成される複数の補正情報Ｄ１４ａも互いに異なる。このため、複数のユーザーについてそれぞれ生成される複数の補正画像データＤ１０の仕上がりは、互いに異なり、各ユーザーは、他のユーザーの仕上がりと異なる仕上がりを有する補正画像データＤ１０を得ることができ、各ユーザーに固有の仕上がりを有する補正画像データＤ１０を得ることができる。
【０１７９】
１．２２  変形例
スマートフォン２０には、写真加工アプリケーションがインストールされる場合がある。また、インストールされた写真加工アプリケーションは、ユーザーが当該写真加工アプリケーションを用いて写真を加工した際に利用された画像補正パラメータを有する。実施の形態１においては、印刷装置１０が、スマートフォンにおいて利用された画像補正パラメータから独立して画像補正パラメータを生成する。しかし、印刷装置１０が、スマートフォン２０にインストールされた写真加工アプリケーションにより利用された画像補正パラメータをそのまま利用してもよい。
【０１８０】
なお、本発明は、その発明の範囲内において、実施の形態を適宜、変形、省略するこ
とが可能である。
【０１８１】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１８２】
１  プリントシステム、１０  印刷装置、２０  携帯型情報通信処理装置（スマートフォン）、３０  情報処理装置（ＰＣ）、４０  サーバー、１００  画像補正装置、１０１  画像データ出力部、１１０  画像データ取得部、１１１  ユーザー情報取得部、１１２  識別情報抽出部、１１３  嗜好情報抽出部、１１４  嗜好情報解析部、１１５  補正情報選択部、１１６  画像データ補正部、１１７  補正情報保存部、１２０  画像表示部、１２１  画質調整部、１２２  選択部、４００  補正情報保存部。
【図１】
2020170290.tif 000003
【図２】
2020170290.tif 000004
【図３】
2020170290.tif 000005
【図４】
2020170290.tif 000006
【図５】
2020170290.tif 000007
【図６】
2020170290.tif 000008
【図７】
2020170290.tif 000009
【図８】
2020170290.tif 000010
【図９】
2020170290.tif 000011
【図１０】
2020170290.tif 000012
【図１１】
2020170290.tif 000013
【図１２】
2020170290.tif 000014
【図１３】
2020170290.tif 000015
【図１４】
2020170290.tif 000016
【図１５】
2020170290.tif 000017